(57)【要約】【課題】縦枠と横枠の接合部の接合面と直交する面の気密性の向上を図れるようにした開口枠の気密構造を提供すること。【解決手段】上下の横枠３ｂと左右の縦枠３ａとを連結するコーナー材１０によって形成される矩形状の開口枠３において、横枠及び縦枠は、それぞれ同一形状の中空部３ｈが長手通しに設けられると共に、長手方向の端部に略４５度の接合面３ｉが設けられる。コーナー材１０は、横枠に設けられた中空部内に挿入される第１の挿入部１１と縦枠に設けられた中空部内に挿入される第２の挿入部１２を有する略L字状に形成され、第１及び第２の挿入部の隅角部１３の両表面に、第１及び第２の挿入部の境界に沿う凹部１４ａ，１４ｂが設けられ、凹部内にコーキング材３０を充填した状態で、第１及び第２の挿入部を横枠及び縦枠の中空部内に挿入して、横枠と縦枠の接合面と直交する面にコーキング材を密着する。【選択図】    図２
2018204276.tif 000002
【特許請求の範囲】
【請求項１】
上下の横枠と左右の縦枠とを連結するコーナー材によって形成される矩形状の開口枠の気密構造であって、
上記横枠及び縦枠は、それぞれ同一形状の中空部が長手通しに設けられると共に、長手方向の端部に略４５度の接合面が設けられ、
上記コーナー材は、上記横枠に設けられた上記中空部内に挿入される第１の挿入部と上記縦枠に設けられた上記中空部内に挿入される第２の挿入部を有する略L字状に形成され、上記第１及び第２の挿入部の隅角部の両表面に、上記第１及び第２の挿入部の境界に沿う凹部が設けられ、
上記凹部内にコーキング材を充填した状態で、上記第１及び第２の挿入部を上記横枠及び縦枠の中空部内に挿入して、上記横枠と縦枠の接合面と直交する面に上記コーキング材を密着してなる、
ことを特徴とする開口枠の気密構造。
【請求項２】
上下の横枠と左右の縦枠とを連結するコーナー材によって形成される矩形状の開口枠の気密構造であって、
上記横枠及び縦枠は、それぞれ同一形状の中空部が長手通しに設けられると共に、長手方向の端部に略４５度の接合面が設けられ、
上記コーナー材は、上記横枠に設けられた上記中空部内に挿入される第１の挿入部と上記縦枠に設けられた上記中空部内に挿入される第２の挿入部を有する略L字状に形成され、上記第１及び第２の挿入部の隅角部の両表面に、上記第１及び第２の挿入部の境界に沿う凹部が設けられ、
上記凹部内にパッキンを嵌装した状態で、上記第１及び第２の挿入部を上記横枠及び縦枠の中空部内に挿入して、上記横枠と縦枠の接合面と直交する面に上記パッキンを密着してなる、
ことを特徴とする開口枠の気密構造。
【請求項３】
請求項１に記載の開口枠の気密構造において、
上記凹部の開口縁の外方領域に上記凹部の深さより浅い溝部を設け、上記溝部に余剰コーキング材を保持してなる、ことを特徴とする開口枠の気密構造。
【発明の詳細な説明】
【技術分野】
【０００１】
この発明は、例えば、プレハブ式の冷蔵庫、冷凍庫、貯蔵庫やクリーンルーム等の庫体の出入口を形成する開口枠の気密構造に関するものである。
【背景技術】
【０００２】
従来、周囲がパネルで囲まれたプレハブ式の冷蔵庫、冷凍庫、貯蔵庫やクリーンルーム等の庫体に出入口が設けられており、出入口の開口枠には、開口枠と扉体との隙間を気密に維持する必要があると共に、開口枠自体も気密に維持する必要がある。
【０００３】
従来の開口枠の気密構造として、縦框（縦枠）と横框（横枠）とを連結するコーナーブロックと、コーナーブロックに固定されて開口枠の外周の角部を形成するコーナー水密材とによって形成される角部部材を有する構造が知られている（例えば、特許文献１参照）。
【０００４】
この場合、コーナーブロックは、四分割円をなすブロック本体の半径相当面に挿入部を突設してなり、挿入部を縦框（縦枠）と横框（横枠）に設けられた挿入穴に挿入して縦框（縦枠）と横框（横枠）を連結している。
【０００５】
また、別の気密構造として、連結される上下及び左右の框（縦枠，横枠）の中空部に対して挿入される第１，２挿入部を有する略L字状のコーナーブロックと、框（縦枠，横枠）の断面形状に略沿う形状をなし、框（縦枠・横枠）の接合面間に介在されるシール材とを有する構造が知られている（例えば、特許文献２参照）。
【先行技術文献】
【特許文献】
【０００６】
【特許文献１】特開平６−７３９５８号公報（図２，図５）
【特許文献２】特開２０１４−２０１５３号公報（図６，図８，図１２）
【発明の概要】
【発明が解決しようとする課題】
【０００７】
しかしながら、特許文献１に記載の構造においては、縦框（縦枠）と横框（横枠）との間にコーナーブロックを介在するため、直交状に連結される縦框（縦枠）の接合面と横框（横枠）の接合面の２箇所をシールする必要があり、接合面と直交する面の気密性が損なわれる懸念がある。
【０００８】
また、特許文献１に記載の構造においては、コーナーブロックとコーナー水密材の２部材によって角部部材を形成するため、構成部材が多くなり施工が面倒となる懸念がある。
【０００９】
特許文献２に記載の構造においては、縦枠と横枠を略L字状のコーナーブロックで連結するため、特許文献１に記載の構造に比べて縦枠と横枠の１箇所の接合部をシールすることができると共に、構成部材の削減が図れる。
しかし、特許文献２に記載の構造においても、框（縦枠・横枠）の接合面間にシール材を介在するため、接合面と直交する面の気密性が損なわれる懸念がある。
【００１０】
この発明は、上記事情に鑑みてなされたもので、縦枠と横枠の接合部の接合面と直交する面の気密性の向上を図れるようにした開口枠の気密構造を提供することを課題とする。
【課題を解決するための手段】
【００１１】
上記課題を解決するために、この発明は、上下の横枠と左右の縦枠とを連結するコーナー材によって形成される矩形状の開口枠の気密構造であって、上記横枠及び縦枠は、それぞれ同一形状の中空部が長手通しに設けられると共に、長手方向の端部に略４５度の接合面が設けられ、上記コーナー材は、上記横枠に設けられた上記中空部内に挿入される第１の挿入部と上記縦枠に設けられた上記中空部内に挿入される第２の挿入部を有する略L字状に形成され、上記第１及び第２の挿入部の隅角部の両表面に、上記第１及び第２の挿入部の境界に沿う凹部が設けられ、上記凹部内にコーキング材を充填、又は、パッキンを嵌装した状態で、上記第１及び第２の挿入部を上記横枠及び縦枠の中空部内に挿入して、上記横枠と縦枠の接合面と直交する面に上記コーキング材又はパッキンを密着してなる、ことを特徴とする（請求項１，２）。
【００１２】
このように構成することにより、開口枠を構成する横枠と縦枠の接合面と直交する両面にコーキング材又はパッキンを密着させることができる。
【００１３】
上記凹部にコーキング材を充填する場合は、コーキング材は粘稠なペースト状であることを考慮して、上記凹部の開口縁の外方領域に上記凹部の深さより浅い溝部を設け、上記溝部によって余剰コーキング材を保持するのがよい（請求項３）。
【００１４】
このように構成することにより、凹部内に充填されるコーキング材の余剰分を溝部で保持することで、コーキング材の外部へのはみ出しを阻止することができる。また、コーキング材の密着面積を増やすことができる。
【発明の効果】
【００１５】
この発明によれば、上記のように構成されているので、以下のような顕著な効果が得られる。
【００１６】
（１）横枠と縦枠の接合面と直交する両面にコーキング材又はパッキンを密着させることができるので、縦枠と横枠の接合部の接合面と直交する面の気密性の向上が図れる。
【００１７】
（２）コーキング材を用いた場合には、凹部内に充填されるコーキング材の余剰分を溝部で保持するので、コーキング材の外部へのはみ出しを阻止して開口枠の見栄えを良好にすることができる。また、コーキング材の密着面積を増やすことができるので、更に縦枠と横枠の接合部の気密性の向上が図れる。
【図面の簡単な説明】
【００１８】
【図１】この発明に係る開口枠の気密構造を有する開閉扉の一例を示す正面図である。
【図２】図１のI部を示す要部拡大正面図である。
【図３】図２のII−II線に沿う断面図（ａ）、（ａ）のIII部の拡大断面図（ｂ）及び（ａ）のIV部拡大断面図である。
【図４】この発明におけるコーナー材の正面斜視図（ａ）及び背面斜視図（ｂ）である。
【図５Ａ】上記コーナー材の正面図である。
【図５Ｂ】上記コーナー材の背面図である。
【図５Ｃ】上記コーナー材の平面図である。
【図５Ｄ】上記コーナー材の底面図である。
【図５Ｅ】上記コーナー材の左側面図である。
【図５Ｆ】上記コーナー材の右側面図である。
【図６】図５ＡのＶ−Ｖ線に沿う端面図である。
【図７】図５ＣのVI−VI線に沿う断面図である。
【図８】図５ＣのVII−VII線に沿う断面図である。
【図９】図１のVIII−VIII線に沿う断面図である。
【図１０】この発明の第２実施形態のコーナー材の正面図（ａ）及び（ａ）のIX−IX線に沿う拡大断面図である。
【図１１】この発明の第３実施形態のコーナー材の正面図（ａ）及び（ａ）のＸ−Ｘ線に沿う拡大断面図である。
【発明を実施するための形態】
【００１９】
以下に、この発明を実施するための形態について、添付図面に基づいて詳細に説明する。ここでは、この発明に係る気密構造をプレハブ式の冷蔵庫の開口部に適用した場合について説明する。
【００２０】
上記冷蔵庫は、周囲が断熱性の壁パネル１で囲まれた庫体（図示せず）と、庫体の一側面に設けられた出入口用の開口枠３（以下に戸枠３という）によって形成される出入り用の開口部４と、開口部４を開閉する一対の開閉可能な扉体２と、を具備している。
【００２１】
扉体２は、一対のアルミニウム合金製の表面板２ａと、これら表面板２ａの辺部間に介在される合成樹脂製の枠材２ｂと、両表面板２ａ及び枠材２ｂにて形成される空間内に充填される例えば発泡ポリウレタン等の発泡性の断熱材２ｃとで主に構成されている（図９参照）。
【００２２】
扉体２の召合せ側の枠材２ｂの上下方向に召合せ部材５が設けられている。また、扉体２の召合せ側と反対側の基端部は上部ヒンジ６ａと下部ヒンジ６ｂを介して戸枠３の縦枠３ａに枢着されて、扉体２は回動により開閉可能になっている。また、一方の扉体２の召合せ側の両面には開閉ハンドル７が取り付けられている。
【００２３】
壁パネル１は、一対のアルミニウム合金製の表面板１ａと、これら表面板１ａの辺部間に介在される合成樹脂製の枠材１ｂと、両表面板１ａ及び枠材１ｂにて形成される空間内に充填される例えば発泡ポリウレタン等の発泡性の断熱材１ｃとで主に構成されている（図９参照）。
【００２４】
戸枠３は、上下の横枠３ｂと左右の縦枠３ａとを連結するコーナー材１０によって矩形枠状に形成されている。
この場合、横枠３ｂ及び縦枠３ａは、それぞれ同一形状に形成されており、中空部３ｈが長手通しに設けられると共に、長手方向の端部に略４５度の接合面３ｉが設けられている。
【００２５】
横枠３ｂと縦枠３ａは、図３及び図９に示すように、戸枠３の開口部４を形成する平坦面部３ｃの両側にＬ字状脚片３ｄを屈曲して中空部３ｈを有する断面略チャンネル状の枠本体３ｅと、枠本体３ｅの平坦面部３ｃの一側に段部３ｆを介して内方側が開口するパッキン嵌合溝３ｇとを有するアルミニウム合金製押出形材にて形成されている。
【００２６】
縦枠３ａは、平坦面部３ｃを貫通する固定ねじ８を壁パネル１の枠材１ｂに被着された断面コ字状の外装枠１ｄにねじ結合して壁パネル１に固着される。なお、外装枠１ｄは、縦枠と同様にアルミニウム合金製押出形材にて形成されている。
【００２７】
パッキン嵌合溝３ｇには、例えばＥＰＤＭスポンジ製の枠パッキン２０が嵌着される。この場合、枠パッキン２０は、中空円筒部２１と中空矩形部２２が連設され、中空矩形部２２の両側にそれぞれ２条のひれ部２３が突設されている（図９参照）。
【００２８】
枠パッキン２０は、パッキン嵌合溝３ｇにバックアップ材２４を介して中空矩形部２２が挿入されてひれ部２３がパッキン嵌合溝３ｇに圧接した状態でパッキン嵌合溝３ｇに嵌着され、中空円筒部２１がパッキン嵌合溝３ｇから突出した状態で縦枠３ａに沿設される。パッキン嵌合溝３ｇから突出した中空円筒部２１が扉体２の枠材２ｂに密接された状態で、戸枠３と扉体２の気密が維持される。
【００２９】
上記コーナー材１０は、例えばＡＢＳ樹脂等の合成樹脂によって形成されており、図２〜図８に示すように、横枠３ｂに設けられた中空部３ｈ内に挿入される第１の挿入部１１と縦枠３ａに設けられた中空部３ｈ内に挿入される第２の挿入部１２を有する略L字状に形成されている。また、第１及び第２の挿入部１１，１２の隅角部１３の両表面に、第１及び第２の挿入部１１，１２の境界に沿う細長穴状の凹部１４ａ，１４ｂが設けられており、凹部１４ａ，１４ｂ内に粘稠ペースト状のコーキング材３０が充填可能に形成されている。
【００３０】
第１及び第２の挿入部１１，１２は、直状片１５と、直状片１５の両端から直交状に起立する側片１６ａ，１６ｂと、直状片１５の一方の側片１６ａ側の下面に隆起する突条片１７とで形成されており、隅角部１３の側片１６ａ及び側片１６ａに連なる突条片１７の表面に凹部１４ａが形成され、側片１６ｂの表面に凹部１４ｂが形成されている。この場合、凹部１４ａは側片１６ａと側片１６ａに連なる突条片１７の表面に設けられるため、側片１６ｂに設けられる凹部１４ｂより長く形成されている。
なお、直状片１５の先端側には、２つの取付孔１８が並設されている。
【００３１】
上記のように形成されるコーナー材１０は、第１及び第２の挿入部１１，１２が横枠３ｂ及び縦枠３ａの中空部３ｈ内に摺接された状態で挿入される。すなわち、直状片１５が横枠３ｂ及び縦枠３ａの平坦面部３ｃに摺接され、側片１６ａ，１６ｂが横枠３ｂ及び縦枠３ａのＬ字状脚片３ｄの内面に摺接され、かつ、突条片１７が横枠３ｂ及び縦枠３ａの段部３ｆの内面に摺接された状態で挿入される。
【００３２】
第１及び第２の挿入部１１，１２を上記のように形成することにより、横枠３ｂ及び縦枠３ａの中空部３ｈ内への挿入を容易かつ確実にすることができる。
【００３３】
戸枠３を枠組みする場合は、凹部１４ａ，１４ｂ内にコーキング材３０を充填した状態で、コーナー材１０を横枠３ｂ及び縦枠３ａの中空部３ｈ内に挿入する。この状態で、平坦面部３ｃに設けられた貫通孔（図示せず）を貫通する固定ねじ４０を取付孔１８に挿通し、固定ねじ４０の突出部にナット４１を螺合して横枠３ｂと縦枠３ａにコーナー材１０を固定する。
【００３４】
上記のようにして枠組みされた戸枠３は、横枠３ｂと縦枠３ａの接合面３ｉと直交する両面にコーキング材３０が密着される。したがって、戸枠３の４箇所の横枠３ｂと縦枠３ａの接合部の気密性の向上が図れる。
【００３５】
図１０は第２実施形態のコーナー材１０Ａを示す。第２実施形態のコーナー材１０Ａは、凹部１４ａ（１４ｂ）の開口縁の外方領域に凹部１４ａ（１４ｂ）の深さより浅い溝部１９を設け、溝部１９に余剰コーキング材を保持可能にした場合である。
【００３６】
第２実施形態によれば、凹部１４ａ（１４ｂ）内に充填されるコーキング材３０の余剰分を溝部１９で保持するので、コーキング材３０の外部へのはみ出しを阻止して戸枠３の見栄えを良好にすることができる。また、コーキング材３０の密着面積を増やすことができるので、更に縦枠３ａと横枠３ｂの接合部の気密性の向上が図れる。
【００３７】
図１１は第３実施形態のコーナー材１０Ｂを示す。第３実施形態のコーナー材１０Ｂは、コーキング材３０に代えて凹部１４ａ（１４ｂ）内に、例えばＥＰＤＡゴム等のパッキン３１を嵌装した場合である。
この場合、凹部１４ａ（１４ｂ）を、図１１（ｂ）に示すように、狭隘開口状に形成することで、パッキン３１の嵌装を確実にすることができる。
【００３８】
第３実施形態によれば、第１及び第２の挿入部１１，１２を横枠３ｂ及び縦枠３ａの中空部３ｈ内に挿入して、横枠３ｂと縦枠３ａの接合面３ｉと直交する面にパッキン３１を密着させることができるので、縦枠３ａと横枠３ｂの接合部の接合面３ｉと直交する面の気密性の向上が図れる。
【００３９】
なお、上記実施形態では、この発明に係る気密構造をプレハブ式冷蔵庫に適用する場合について説明したが、この発明に係る気密構造は、冷蔵庫以外の冷凍庫、貯蔵庫やクリーンルームにも適用できるものである。
【符号の説明】
【００４０】
３  戸枠（開口枠）
３ａ  縦枠
３ｂ  横枠
３ｈ  中空部
３ｉ  接合面
１０，１０Ａ，１０Ｂ  コーナー材
１１  第１の挿入部
１２  第２の挿入部
１３  隅角部
１４ａ，１４ｂ  凹部
１９  溝部
３０  コーキング材
３１  パッキン
【図１】
2018204276.tif 000003
【図２】
2018204276.tif 000004
【図３】
2018204276.tif 000005
【図４】
2018204276.tif 000006
【図５Ａ】
2018204276.tif 000007
【図５Ｂ】
2018204276.tif 000008
【図５Ｃ】
2018204276.tif 000009
【図５Ｄ】
2018204276.tif 000010
【図５Ｅ】
2018204276.tif 000011
【図５Ｆ】
2018204276.tif 000012
【図６】
2018204276.tif 000013
【図７】
2018204276.tif 000014
【図８】
2018204276.tif 000015
【図９】
2018204276.tif 000016
【図１０】
2018204276.tif 000017
【図１１】
2018204276.tif 000018